(57)【要約】【課題】一つのスプレーガンで瓦に濃淡、斑、その他のデザイン模様を形成することができる施釉装置を提供する。【解決手段】コントローラで、エアシリンダー４及び５の切換弁を制御してスプレーガン１をｘ方向に二位置、ｙ方向に二位置の計４位置に切換えできるようにし、電磁弁９の開閉を制御してエア源８からのエアの供給或いはその停止を行って瓦の上下左右の４位置に釉薬の連続又は断続的な吹き付け或いは吹き付け停止を行えるようにする。【選択図】図１
2006062901.tif 000002
【特許請求の範囲】
【請求項１】
釉薬が入れられるタンクと、ｘｙ方向に移動可能に支持され、エア源に接続されるスプレーガンと、スプレーガンをｘ方向に移動させる第１の作動装置と、スプレーガンをｙ方向に移動させる第２の作動装置と、エア源からスプレーガンへ供給されるエアの供給或いはその停止を行う電磁弁と、上記第１及び第２の作動装置と電磁弁の開閉を制御するコントローラと、上記タンク内の釉薬をスプレーガンに供給する供給手段からなることを特徴とする瓦の釉薬装置。
【請求項２】
釉薬が入れられるタンクを複数設けて、各タンクにそれぞれ着色の異なった釉薬を入れ、コントローラが供給手段を制御して複数のタンク内の釉薬のうち、少なくとも１つの釉薬をスプレーガンに供給することを特徴とする請求項１記載の瓦の釉薬装置。
【発明の詳細な説明】
【技術分野】
【０００１】
本発明は、桟瓦その他の瓦（本明細書では、単に「瓦」という）にデザイン模様を発生させる施釉装置に関する。
【背景技術】
【０００２】
瓦は一般にプレス成形した粘土瓦を乾燥し、ついで表側に釉薬を塗布したのち窯に入れて焼成することにより得られ、釉薬の塗布工程では通常、ポンプ等で加圧搬送した釉薬を瓦表面に流して塗布していた。
【０００３】
従来の瓦は通常、黒色の釉薬で着色されているが、紺や橙色等の釉薬で着色されたものもある。いずれの場合でも従来の瓦は単色の釉薬が用いられ、表面全体が均一に着色されるのが常であった。
【０００４】
そこで本出願人は、下記特許文献１において、ノズルの向きがそれぞれ異なる四個の釉薬吹付用のスプレーガンと、エア源からスプレーガンへエアの供給或いはその停止を行う電磁弁と、各電磁弁の開閉を制御するコントローラよりなり、該コントローラに組込まれたプログラムにより各電磁弁を制御して四個のスプレーガンのうち、任意のスプレーガンを選択して釉薬の吹付けを行い、これにより瓦に濃淡、斑、その他のデザイン模様を形成できるようにした施釉装置を提案した。
【特許文献１】特開２０００−２１９５８２
【発明の開示】
【発明が解決しようとする課題】
【０００５】
本発明は、上述する施釉装置について改良を加え、一つのスプレーガンで瓦に同様のデザイン模様を形成できるようにした瓦の施釉装置を提供することを目的とする。
【課題を解決するための手段】
【０００６】
請求項１に係わる発明は、釉薬が入れられるタンクと、ｘｙ方向に移動可能に支持され、エア源に接続されるスプレーガンと、スプレーガンをｘ方向に移動させる第１の作動装置と、スプレーガンをｙ方向に移動させる第２の作動装置と、エア源からスプレーガンへ供給されるエアの供給或いはその停止を行う電磁弁と、上記第１及び第２の作動装置と電磁弁の開閉を制御するコントローラと、上記タンク内の釉薬をスプレーガンに供給する供給手段からなることを特徴とする。
【０００７】
本発明で用いるエア源としては、例えばコンプレッサー、圧縮空気入りのボンベ等を挙げることができる。
スプレーガンは、ｘｙ方向に移動可能であるが、この移動は直交座標系を移動するものであっても極座標系を移動するものであってもよい。前者の直交座標系を移動する場合には、第１及び第２の作動装置には、スプレーガンに往復直線運動を与える装置、例えばエアシリンダー或いはピニオン・ラック機構などを用いることができる。
【０００８】
後者の極座標系移動する場合には、第１及び第２の作動装置のうち、一方にはスプレーガンを支点の周りに回動させる装置、例えば支軸を回転させるパルスモータ、スプレーガンを支軸を周りに回転させるエアシリンダー等を用いることができ、他方には往復直線運動機構、例えばエアシリンダーやピニオン・ラック機構等を用いることができる。
【０００９】
釉薬の供給手段としては、通常エア源から供給されるエアが用いられ、タンク内の釉薬がエアの圧力によってスプレーガンに供給される。このエアのエア源としては、スプレーガンにエアを供給するエア源と同じエア源を用いてもよいし、異なったエア源を用いてもよい。
【００１０】
請求項２に係わる発明は、請求項１に係わる発明において、釉薬が入れられるタンクを複数設けて、各タンクにそれぞれ着色の異なった釉薬を入れ、コントローラが供給手段を制御して複数のタンク内の釉薬のうち、少なくとも１つの釉薬をスプレーガンに供給することを特徴とする。
【００１１】
本発明において、供給手段としてエアを用いる場合、そのエア源は１つであってもよいし、各タンクごとに個別に設けてもよい。いずれの場合であっても、エアによってタンク内の釉薬を供給するためにコントローラによって開閉が制御される電磁弁が設けられる。
【発明の効果】
【００１２】
請求項１に係わる発明によると、瓦に対してスプレーガンをｘｙ方向に移動させながら、コントローラで電磁弁を制御することにより、瓦表面に釉薬の濃淡模様や斑模様等が形成され、これによりデザイン模様の瓦を得ることができること、スプレーガンが一つですむためスプレーガンが目詰まりしたときの取り外しや清掃が容易で、取り付けるときの吹き付け位置の調整も容易に行えること等の効果を奏する。
【００１３】
請求項２に係わる発明によると、更に着色の入り交じったデザイン模様の瓦を得ることができる。
【発明を実施するための最良の形態】
【００１４】
図１は、スプレーガン１を極座標系で移動させる装置について示すもので、支軸２を支点として回動可能に支持されるプレート３には、その一端にプレート３を支軸２の周りに回動させる第１の作動装置としてのエアシリンダー４が連結され、プレート３の他側には、スプレーガン１に往復直線運動を与える第２の作動装置としてのエアシリンダ５が設置されている。
【００１５】
以上のように構成される装置において、スプレーガン１はエアシリンダー４の作動により支軸２の周りを旋回し、エアシリンダー４を制御する切換弁（図示しない）の切換えにより円周方向であるｘ方向の二位置に切換えできるようになっており、またエアシリンダー５を制御する切換弁（図示しない）の切換えにより往復直線運動を行ってｙ方向の二位置に切換えできるようになっている。これによってスプレーガンはｘｙ方向に二位置ずつ計４位置に切換可能となっている。
【００１６】
図２は、釉薬装置について示すもので、釉薬が入れられるタンク７と、エア源８からスプレーガン１へエアの供給或いはその停止を行う電磁弁９と、上記エアシリンダー４及び５の図示しない切換弁と、電磁弁９の開閉を制御するコントローラ１０よりなっている。図中、１１は減圧弁である。
【００１７】
図３は、瓦１３へスプレーガン１より釉薬を吹き付けるときの態様を示すもので、レール１４に沿って移動する吊金具１５に吊持される瓦１３には、レール１４が屈曲する箇所において正面からスプレーガン１により釉薬が吹付けられるようになっている。
【００１８】
レール１４より吊り下げられる瓦１３には、図４に示すようにエアシリンダー４及び５の図示しない切換弁を切換えることによってＡ〜Ｄの四箇所のうち、いずれかの箇所に釉薬の吹き付けが行えるようになっている。すなわち表１に示すようにエアシリンダー４及び５をいずれもｏｎに切換えたときにはＤ装置、エアシリンダー４をｏｆｆ、エアシリンダー５をｏｎに切換えたときにはＣ装置、エアシリンダー５をｏｆｆ、エアシリンダー４をｏｎに切換えたときはＢ位置、いずれのエアシリンダー４及び５もｏｆｆに切換えたときはＡ位置で釉薬の吹き付けが行えるようになっている。
【００１９】
【表１】
2006062901.tif 000003
【００２０】
以上のように、切換弁９及びエアシリンダー４及び５の図示しない切換弁をコントローラ１０でシーケンス制御して釉薬を吹き付けるタイミングと、Ａ〜Ｄ位置への吹き付け位置を制御することにより、Ａ〜Ｄ位置への釉薬の連続的又は断続的な吹き付け或いはその停止を行って瓦表面にデザイン模様が形成されるようになっている。
【００２１】
図５は、釉薬装置の別の例を示すもので、四個のタンク１６ａ、１６ｂ、１６ｃ、１６ｄの各々には着色の異なった釉薬が入れられており、各タンク１６ａ、１６ｂ、１６ｃ、１６ｄにはそれぞれ、開閉がコントローラ１７によって制御される電磁弁１８ａ、１８ｂ、１８ｃ、１８ｄが個別に設けられ、電磁弁１８ａ、１８ｂ、１８ｃ、１８ｄの制御によって各タンク１６ａ、１６ｂ、１６ｃ、１６ｄのうち、一ないし複数のタンクから釉薬がスプレーガン１に供給され、電磁弁９の開閉によってエア源８からのエアの供給或いはその停止を行うことにより、瓦１３のＡ〜Ｄ位置に着色したデザイン模様が形成されるようになっている。
【産業上の利用可能性】
【００２２】
本発明に係わる釉薬装置は、デザイン模様の瓦を製造するのに使用することができる。
【図面の簡単な説明】
【００２３】
【図１】スプレーガンをｘｙ方向に移動させる装置の概略図。
【図２】釉薬装置の模式図。
【図３】瓦に釉薬を吹付けるときの態様を示す概略図。
【図４】瓦への釉薬の吹き付け位置を示す図。
【図５】釉薬装置の別の例の模式図。
【符号の説明】
【００２４】
１・・スプレーガン
２・・支軸
３・・プレート
４、５・・エアシリンダー
７・・タンク
８・・エア源
９、１８ａ、１８ｂ、１８ｃ、１８ｄ・・電磁弁
１０、１７・・コントローラ
１３・・瓦
１４・・レール
１５・・吊金具
１６ａ、１６ｂ、１６ｃ、１６ｄ・・タンク
【図１】
2006062901.tif 000004
【図２】
2006062901.tif 000005
【図３】
2006062901.tif 000006
【図４】
2006062901.tif 000007
【図５】
2006062901.tif 000008